(57)【要約】【課題】過冷却熱交換器を最大限利用し、安定した冷房運転を早く実現すること。【解決手段】圧縮機１の起動時に過冷却熱交換器１１のバイパス回路側出口が過熱状態となるようにバイパス流量制御手段１３を所定の開度に設定し、圧縮機１が起動した後は、過冷却熱交換器１１の主冷媒回路側出口の過冷却度が、所定第１値未満の場合には、過冷却熱交換器１１のバイパス回路側出口の過熱度が所定値となるようにバイパス流量制御手段１３の開度を制御し、過冷却度が所定第１値以上となった場合には、過冷却度が所定第２値となるようにバイパス流量制御手段１３の開度を制御することにより、バイパス回路からの過度の液バックを防止するとともに、過冷却熱交換器１１を最大限利用することで安定した冷房運転を継続することができる。【選択図】図１
2011179764.tif 000002
【特許請求の範囲】
【請求項１】
圧縮機、放熱器、絞り機構、蒸発器を連結して形成した冷媒回路と、前記放熱器の出口に主冷媒回路内を流れる冷媒とバイパス冷媒回路内を流れる冷媒とを熱交換するための過冷却熱交換器と、前記バイパス冷媒回路のバイパス流量を制御するバイパス流量制御手段と、前記過冷却熱交換器の主冷媒回路側出口での冷媒の過冷却度を検出する過冷却度検出手段と、前記過冷却熱交換器のバイパス回路側出口での冷媒の過熱度を検出する過熱度検出手段と、制御手段とを備え、前記圧縮機の起動時には前記バイパス流量制御手段の開度を前記過冷却熱交換器のバイパス回路側出口が過熱状態となる所定の開度で前記圧縮機を起動するとともに、前記圧縮機の起動後、前記過冷却熱交換器の主冷媒回路側出口の過冷却度が所定第１値未満の場合には、前記過冷却熱交換器のバイパス回路側出口の過熱度が所定値となるようにバイパス流量を制御し、前記過冷却熱交換器の主冷媒回路側出口の過冷却度が所定第１値以上となった場合には、前記過冷却熱交換器の主冷媒回路側出口の過冷却度が所定第２値となるようにバイパス流量を制御することを特徴とする冷凍サイクル装置。
【請求項２】
圧縮機の吐出管から過冷却熱交換器の主冷媒回路側出口の間に設けた第１圧力検出手段と、前記過冷却熱交換器の主冷媒回路側出口に設けた第１温度検出手段と、前記過冷却熱交換器のバイパス回路側出口から前記圧縮機の吸入管の間に設けた第２圧力検出手段と、前記過冷却熱交換器のバイパス回路側出口に設けた第２温度検出手段とを備え、前記過冷却熱交換器の主冷媒回路側出口での過冷却度を、前記第１圧力検出手段の検出値の飽和温度と前記第１温度検出手段の検出温度との差として算出し、前記過冷却熱交換器のバイパス回路側出口での過熱度を、前記第２温度検出手段の検出温度と前記第２圧力検出手段の検出値の飽和温度との差として算出することを特徴とする請求項１に記載の冷凍サイクル装置。
【請求項３】
放熱器の吸い込み空気温度検出手段と、蒸発器の吸い込み空気温度検出手段と、室内運転容量の検出手段とを備え、前記それぞれの検出手段が検出した放熱器吸い込み空気温度、蒸発器吸い込み空気温度、室内機の運転容量に基づいて圧縮機起動周波数を決定し、前記決定した圧縮機起動周波数に応じて、バイパス流量制御手段の開度を決定することを特徴とする請求項１または２に記載の冷凍サイクル装置。
【発明の詳細な説明】
【技術分野】
【０００１】
本発明は、主冷媒回路内を流れる冷媒とバイパス回路内を流れる冷媒とを熱交換する過冷却回路を設けた冷凍サイクル装置に関するものである。
【背景技術】
【０００２】
従来、この種の冷凍サイクル装置では、バイパス流量制御手段の開度を、主冷媒回路とバイパス回路との合流部で過熱度がとれる予め定めた開度に設定して圧縮機を起動し、圧縮機の吐出温度が予め定めた温度となれば合流部での乾き度が１以下となるように開度を開方向に制御している（例えば、特許文献１参照）。
【０００３】
図３は、上記特許文献１に記載された従来の冷凍サイクル装置のサイクル構成図を示すものである。
【０００４】
図３に示すように、圧縮機（１ａ、１ｂ）、放熱器２、絞り機構（３ａ、３ｂ）、蒸発器（４ａ、４ｂ）を連結して形成した冷媒回路と、前記放熱器２の出口に主冷媒回路内を流れる冷媒とバイパス回路２１内を流れる冷媒とを熱交換するための過冷却熱交換器１１と、前記バイパス回路２１のバイパス流量を制御するバイパス流量制御手段とから構成されている。
【先行技術文献】
【特許文献】
【０００５】
【特許文献１】特開２００４−１２１１２号公報
【発明の概要】
【発明が解決しようとする課題】
【０００６】
しかしながら、前記従来の構成では、圧縮機の起動から吐出温度が予め定めた温度未満の場合には、バイパス流量制御手段の開度を主冷媒回路とバイパス回路との合流部での過熱度で制御を行うため、主冷媒回路が気液二相状態となった場合には、合流部で過熱度を確保するためにはバイパス回路側で冷媒の過熱度を大きくとる必要がある。
【０００７】
すなわち、バイパス回路側の流量を小さくする必要があり、バイパス側の流量不足により過冷却熱交換器を十分に利用できず、過冷却熱交換器の主冷媒回路側出口の過冷却度が必要とする過冷却度に到達するまでに時間がかかる。
【０００８】
なお、圧縮機が起動されてサイクルが安定するまでは、一般的に室内側より戻る主冷媒回路は気液二相状態となり、特に低外気温度での起動あるいは室内の負荷が極めて小さい場合などに顕著になる。
【０００９】
さらに、圧縮機の吐出温度が予め定めた温度以上となれば、合流部で乾き度１以下となるようにバイパス流量制御手段の開度を開方向に制御を行うが、乾き度１以下での冷媒状態を把握することは困難であるため、バイパス回路を通じて液冷媒を低圧側に多くバイパスさせ、主冷媒回路の冷媒循環量が減少する。室内側の要求に対して主冷媒回路の冷媒循環量が不足する状況となれば、過冷却熱交換器の主冷媒回路側出口の過冷却度が低下あるいは二相状態となる。
【００１０】
過冷却熱交換器の主冷媒回路側出口で必要とする過冷却度が確保できない状態では、液管での圧損などの影響により、室内膨張弁前が二相状態となり、室内膨張弁での各室内機
の負荷に応じた流量制御が正確に行えなくなる。
【００１１】
そのような運転状況が継続することにより、室内機間の分流が悪化し、冷媒の片流れなどが生じることで、室内熱交換器へのオイルの滞留を生じさせたり、液冷媒が多く流れる室内熱交換器では液冷媒を蒸発できないため液バック状態を生じさせたり、あるいは、バイパス回路からの多量の液冷媒が低圧回路にバイパスすることで、液バックを生じさせるといった信頼性を低下させる課題を有している。
【００１２】
本発明は、前記従来の課題を解決するもので、主冷媒回路内を流れる冷媒とバイパス回路内を流れる冷媒とを熱交換する過冷却熱交換器のバイパス回路から、液冷媒が多量に低圧回路に戻ることを防止でき、安定した冷房運転が早く行える冷凍サイクル装置を提供することを目的とする。
【課題を解決するための手段】
【００１３】
前記従来の課題を解決するために、本発明の冷凍サイクル装置は、圧縮機、放熱器、絞り機構、蒸発器を連結して形成した冷媒回路と、前記放熱器の出口に主冷媒回路内を流れる冷媒とバイパス冷媒回路内を流れる冷媒とを熱交換するための過冷却熱交換器と、前記バイパス冷媒回路のバイパス流量を制御するバイパス流量制御手段と、前記過冷却熱交換器の主冷媒回路側出口での冷媒の過冷却度を検出する過冷却度検出手段と、前記過冷却熱交換器のバイパス回路側出口での冷媒の過熱度を検出する過熱度検出手段と、制御手段とを備え、前記圧縮機の起動時には前記バイパス流量制御手段の開度を前記過冷却熱交換器のバイパス回路側出口が過熱状態となる所定の開度で前記圧縮機を起動するとともに、前記圧縮機の起動後、前記過冷却熱交換器の主冷媒回路側出口の過冷却度が所定第１値未満の場合には、前記過冷却熱交換器のバイパス回路側出口の過熱度が所定値となるようにバイパス流量を制御し、前記過冷却熱交換器の主冷媒回路側出口の過冷却度が所定第１値以上となった場合には、前記過冷却熱交換器の主冷媒回路側出口の過冷却度が所定第２値となるようにバイパス流量を制御することを特徴とするものである。
【００１４】
これによって、圧縮機の起動時には過冷却熱交換器のバイパス回路側出口が過熱状態となる開度に設定するのでバイパス回路から液冷媒が多量に低圧回路に戻ることを防止できる。
【００１５】
また、圧縮機を起動し、過冷却熱交換器の主冷媒回路側出口が所定第１値の過冷却度となるまでは、過冷却熱交換器のバイパス出口の過熱度が所定値となるように、バイパス流量制御手段の開度を制御することによって、バイパス側の流量不足を回避することができ、過冷却熱交換器の能力を最大限利用できるので、過冷却熱交換器の主冷媒回路側出口の過冷却度を所定第１値に早く到達させることができる。
【００１６】
さらに、過冷却熱交換器の主冷媒回路側出口の過冷却度が所定第１値以上となれば、過冷却熱交換器の主冷媒回路側出口の過冷却度を所定第２値となるように、バイパス流量制御手段の開度を制御することで、過冷却熱交換器の主冷媒回路側出口での過冷却度を適正値に保つことができる。
【００１７】
以上のように、バイパス回路からの液冷媒が多量に低圧回路に戻ることを防止すると共に、過冷却熱交換器を最大限利用することによって、過冷却熱交換器の主冷媒回路側出口での過冷却度を室内膨張弁前が二相状態とならない値に早く到達させ、その後も適正な値を保つことができる。
【発明の効果】
【００１８】
本発明によれば、主冷媒回路内を流れる冷媒とバイパス回路内を流れる冷媒とを熱交換
する過冷却熱交換器のバイパス回路から、液冷媒が多量に低圧回路に戻ることを防止でき、安定した冷房運転が早く行える冷凍サイクル装置を提供できる。
【図面の簡単な説明】
【００１９】
【図１】本発明の実施の形態１における冷凍サイクル装置のサイクル構成図
【図２】本発明の実施の形態２における冷凍サイクル装置での圧縮機起動時の制御動作のフローチャート
【図３】従来の冷凍サイクル装置のサイクル構成図
【発明を実施するための形態】
【００２０】
第１の発明は、圧縮機、放熱器、絞り機構、蒸発器を連結して形成した冷媒回路と、前記放熱器の出口に主冷媒回路内を流れる冷媒とバイパス冷媒回路内を流れる冷媒とを熱交換するための過冷却熱交換器と、前記バイパス冷媒回路のバイパス流量を制御するバイパス流量制御手段と、前記過冷却熱交換器の主冷媒回路側出口での冷媒の過冷却度を検出する過冷却度検出手段と、前記過冷却熱交換器のバイパス回路側出口での冷媒の過熱度を検出する過熱度検出手段と、制御手段とを備え、前記圧縮機の起動時には前記バイパス流量制御手段の開度を前記過冷却熱交換器のバイパス回路側出口が過熱状態となる所定の開度で前記圧縮機を起動するとともに、前記圧縮機の起動後、前記過冷却熱交換器の主冷媒回路側出口の過冷却度が所定第１値未満の場合には、前記過冷却熱交換器のバイパス回路側出口の過熱度が所定値となるようにバイパス流量を制御し、前記過冷却熱交換器の主冷媒回路側出口の過冷却度が所定第１値以上となった場合には、前記過冷却熱交換器の主冷媒回路側出口の過冷却度が所定第２値となるようにバイパス流量を制御することを特徴とする冷凍サイクル装置である。
【００２１】
これにより、バイパス回路から液冷媒が戻ることを防止すると共にバイパス側の流量を確保して過冷却熱交換器を最大限利用し、過冷却熱交換器の主冷媒回路側出口での必要な過冷却度を早く確保し、その後も過冷却度を適正な値に保つことで、室内膨張弁前が二相となることを抑制できるので、各室内機で負荷に応じた室内膨張弁による流量制御を正確に行えるようになり、安定した冷房運転を行うことができる。
【００２２】
第２の発明は、圧縮機の吐出管から過冷却熱交換器の主冷媒回路側出口の間に設けた第１圧力検出手段と、前記過冷却熱交換器の主冷媒回路側出口に設けた第１温度検出手段と、前記過冷却熱交換器のバイパス回路側出口から前記圧縮機の吸入管の間に設けた第２圧力検出手段と、前記過冷却熱交換器のバイパス回路側出口に設けた第２温度検出手段とを備え、前記過冷却熱交換器の主冷媒回路側出口での過冷却度を、前記第１圧力検出手段の検出値の飽和温度と前記第１温度検出手段の検出温度との差として算出し、前記過冷却熱交換器のバイパス回路側出口での過熱度を、前記第２温度検出手段の検出温度と前記第２圧力検出手段の検出値の飽和温度との差として算出することを特徴とするもので、過冷却度及び過熱度を精度良く検出することができるので、それらを制御対象とする制御動作をより確実に行うことができる。
【００２３】
第３の発明は、放熱器の吸い込み空気温度検出手段と、蒸発器の吸い込み空気温度検出手段と、室内運転容量の検出手段とを備え、前記それぞれの検出手段が検出した放熱器吸い込み空気温度、蒸発器吸い込み空気温度、室内機の運転容量に基づいて圧縮機起動周波数を決定し、前記決定した圧縮機起動周波数に応じて、バイパス流量制御手段の開度を決定することを特徴とするもので、過冷却熱交換器のバイパス回路側出口が過熱状態となるようにバイパス流量制御手段の開度を周波数毎、すなわち冷媒循環量に応じて設定することによって、バイパス回路と主冷媒回路を流れる冷媒の割合を適正に保つことで、起動時にバイパス回路から液冷媒が戻ることを防止することがより確実に行うことができる。
【００２４】
以下、本発明の実施の形態について、図面を参照しながら説明する。なお、この実施の形態によって本発明が限定されるものではない。
【００２５】
（実施の形態１）
図１は、本発明の第１の実施の形態における冷凍サイクル装置のサイクル構成図を示すものである。
【００２６】
図１において、圧縮機１、室外熱交換器２を放熱器、室内膨張弁３ａ、３ｂを絞り機構、室内熱交換器４ａ、４ｂを蒸発器として連結して冷媒回路を形成している。室外熱交換器２の出口には、主冷媒回路内を流れる冷媒とバイパス回路２１を流れる冷媒とを熱交換するための過冷却熱交換器１１が配設されている。
【００２７】
バイパス回路２１には、バイパス流量を制御するバイパス流量制御手段１３と、過冷却熱交換器１１のバイパス回路側出口の温度を検出する過冷却熱交換器のバイパス回路側出口温度検出手段１４とを備え、過冷却熱交換器１１の主冷媒回路側の出口には過冷却熱交換器の主冷媒回路側出口温度検出手段を備える。
【００２８】
圧縮機１の吐出管及び吸入管には、吐出圧力を検出する吐出圧力検出手段５と、吸入圧力を検出する吸入圧力検出手段１８をそれぞれ備え、前述の温度検出手段及び圧力検出手段の検知した値に基づいてバイパス流量制御手段の開度を制御する制御手段２０とを備えている。
【００２９】
以上のように構成された冷凍サイクル装置について、以下冷房運転を行う場合の動作、作用を説明する。
【００３０】
まず、圧縮機１が起動される際には、バイパス流量制御手段１３の開度を過冷却熱交換器１１のバイパス回路側出口の冷媒状態が過熱状態となるように予め設定した開度とする。圧縮機が起動された後、過冷却熱交換器１１の主冷媒回路側出口の過冷却度が所定第１値ＳＣ１未満の場合には、過冷却熱交換器１１のバイパス回路側出口の過熱度が所定値ＳＨとなるように、バイパス流量制御手段１３の開度を制御する。
【００３１】
また、過冷却熱交換器１１の主冷媒回路側出口の過冷却度が所定第１値ＳＣ１以上となった場合には、過冷却熱交換器１１の主冷媒回路側出口の過冷却度が所定第２値ＳＣ２となるように、バイパス流量制御手段１３の開度を制御する。
【００３２】
なお、過冷却熱交換器１１の主冷媒回路側出口の過冷却度は、吐出圧力検出手段５で検出される圧力の飽和温度と過冷却熱交換器主冷媒回路側出口温度検出手段１２で検出される温度との差によって算出され、過冷却熱交換器１１のバイパス回路側出口の過熱度は、吸入圧力検出手段１８で検出される圧力の飽和温度と過冷却熱交換器のバイパス回路側出口温度検出手段１４で検出される温度との差によって算出される。
【００３３】
以上のように、本実施の形態においては、過冷却熱交換器の主冷媒回路側出口温度検出手段１２と、過冷却熱交換器のバイパス回路側出口温度検出手段１４と、吐出圧力検出手段５と、吸入圧力検出手段１８と、バイパス流量制御手段１３と、制御手段２０とを備え、圧縮機１を起動する際には、バイパス流量制御手段の開度を過冷却熱交換器１１のバイパス回路側出口の冷媒状態が過熱状態となる予め設定した開度とし、圧縮機１が起動した後、バイパス流量制御手段１３の開度を、過冷却熱交換器１１の主冷媒回路側出口の過冷却度が所定第１値ＳＣ１未満の場合には、過冷却熱交換器１１のバイパス回路側出口の過熱度が所定値ＳＨ１となるように制御し、過冷却熱交換器１１の主冷媒回路側出口の過冷却度が所定第１値ＳＣ１以上となった場合には、過冷却熱交換器１１の主冷媒回路側出口
の過冷却度を所定第２値ＳＣ２となるように制御する。なお、過冷却度は、所定第１値ＳＣ１＞所定第２値ＳＣ２の関係を有している。
【００３４】
以上のように制御することによって、圧縮機１が起動する際には、過冷却熱交換器１１のバイパス側出口が過熱状態となる開度にバイパス流量制御手段１３の開度を設定するので、バイパス回路２１からの液戻りを防止できる。
【００３５】
圧縮機１が起動し、過冷却熱交換器１１の主冷媒回路側出口の過冷却度が所定第１値未満の場合には、過冷却熱交換器１１のバイパス回路側出口の過熱度が所定値ＳＨ１、例えば０となるようにバイパス流量制御手段１３の開度を制御するので、バイパス回路２１側の流量不足を防止でき、過冷却熱交換器１１を最大限利用でき、過冷却熱交換器１１の主冷媒回路側出口での過冷却度を所定第１値ＳＣ１に早く到達させることができる。
【００３６】
また、過冷却熱交換器１１の主冷媒回路側出口の過冷却度が所定第１値ＳＣ１以上となった場合にも、過冷却熱交換器１１の主冷媒回路側出口の過冷却度が、所定第１値ＳＣ１＞所定第２値ＳＣ２の関係を有している所定第２値ＳＣ２となるように、バイパス流量制御手段１３の開度を制御するので、バイパス回路２１からの液戻りを防止できる。
【００３７】
以上に示したように、バイパス回路２１からの液戻りを防止すると共にバイパス回路側出口での過熱度でバイパス量を制御しバイパス量の不足を防止するので、過冷却熱交換器１１を最大限利用することができ、過冷却熱交換器１１の主冷媒回路側出口の過冷却度を所定第１値に早く到達させ、その後も過冷却度が所定第２値を確保するように制御を行うので、液管が二相状態となり室内膨張弁３ａ、３ｂでの負荷に応じた流量制御が正確に行えなくなり、室内機間の分流の悪化し冷媒の片流れによるオイルの滞留、液戻りなどが生じることを防止することができ、安定した冷房運転を継続して行うことができる。
【００３８】
（実施の形態２）
本発明の第２の実施の形態では、構成については第１の実施の形態と同一構成をしており、説明を省略する。
【００３９】
以上のように構成された冷凍サイクル装置について、以下冷房運転を行う場合の動作、作用を説明する。
【００４０】
まず、過冷却熱交換器１１の主冷媒回路側出口での過冷却度の所定第２値を圧縮機１の周波数毎に予め設定し、過冷却度の所定第２値より小さくするので、過冷却度が所定第１値に到達し、室内膨張弁前が液相となり、室内膨張弁３ａ、３ｂでの流量制御が可能となって、サイクルが安定し始めた後は、過冷却熱交換器１１の主冷媒回路側出口での過冷却度を、圧縮機の周波数、すなわち、冷媒循環量に応じた値とし、液管での圧力損失に応じたより適正な過冷却度を保つことができ、バイパス流量が過大となること及び過冷却度の取れすぎることを防止して、安定した冷房運転を行うことができる。
【００４１】
（実施の形態３）
図２は、本発明の第３の実施の形態の冷凍サイクル装置での圧縮機起動時の制御動作のフローチャートを示すものである。
【００４２】
本実施の形態では、構成については第１の実施の形態と同一構成をしており、説明を省略する。
【００４３】
以上のように構成された冷凍サイクル装置において、圧縮機１の起動時に、制御手段２０は、図２のフローチャートに示す制御動作を行う。以下、図２のフローチャートに従っ
て説明する。
【００４４】
まず、圧縮機１を起動する際、外気温度検出手段７によって検出される放熱器吸い込み空気温度Ｔ＿ｃｏｎｄと、室内機吸い込み空気温度検出手段１５ａ、１５ｂで検出される蒸発器吸い込み空気温度Ｔ＿ｅｖａ１、Ｔ＿ｅｖａ２と、室内機運転容量Ｑ＿ｔｏｔａｌとを検出し、圧縮機の起動周波数Ｆ＿ｉｎｉを決定する。
【００４５】
つぎに、過冷却熱交換器１１のバイパス回路側出口が過熱状態となるように予め設定したバイパス流量制御手段１３の初期開度ＥＶＢ１を、圧縮機の起動周波数Ｆ＿ｉｎｉに応じて決定し設定する。
【００４６】
圧縮機１を起動し、吐出圧力検出手段５で検出される吐出圧力と、吸入圧力検出手段１８で検出される吸入圧力と、過冷却熱交換器の主冷媒回路側出口温度検出手段で検出される過冷却熱交換器の主冷媒回路側出口温度Ｔ＿ｓｃと、過冷却熱交換器のバイパス回路側出口温度検出手段で検出される過冷却熱交換器のバイパス回路側出口温度Ｔ＿ｓｈとを検出し、過冷却熱交換器の主冷媒回路側出口の過冷却度ＳＣ及び過冷却熱交換器のバイパス回路側出口の過熱度ＳＨを算出する。
【００４７】
算出した過冷却度ＳＣが所定第１値ＳＣ１以上であるかを判定し、所定第１値ＳＣ１以上であるならばバイパス流量制御手段１３の開度を過冷却熱交換器１１の主冷媒回路側出口の過冷却度が所定第２値ＳＣ２となるように制御を行う。
【００４８】
その後、吐出圧力と過冷却熱交換器の主冷媒回路側出口温度Ｔ＿ｓｃとを検出し、過冷却熱交換器の主冷媒回路側出口の過冷却度ＳＣを算出し、算出したＳＣが２〜３Ｋを下回らずに制御できているか判定し、下回っていなければ繰り返し制御を行い、下回っていれば、再度吐出圧力検出手段５で検出される吐出圧力と、吸入圧力検出手段１８で検出される吸入圧力と、過冷却熱交換器の主冷媒回路側出口温度検出手段で検出される過冷却熱交換器の主冷媒回路側出口温度Ｔ＿ｓｃと、過冷却熱交換器のバイパス回路側出口温度検出手段で検出される過冷却熱交換器のバイパス回路側出口温度Ｔ＿ｓｈとを検出を行い、過冷却熱交換器の主冷媒回路側出口の過冷却度ＳＣ及び過冷却熱交換器のバイパス回路側出口の過熱度ＳＨを算出し、過冷却度ＳＣが所定第１値ＳＣ１以上であるかの判定からの動作を繰り返す。
【００４９】
算出した過冷却度ＳＣが所定第１値ＳＣ１以上でなければ、過冷却熱交換器１１のバイパス回路側出口の過熱度が所定値ＳＨ１となるように、バイパス流量制御手段１３の開度を制御した後、再度吐出圧力、吸入圧力、過冷却熱交換器主冷媒回路側出口温度、過冷却熱交換器バイパス出口温度の検出を行い、過冷却度ＳＣが所定第１値ＳＣ１以上となるまで同様の制御動作を繰り返す。
【００５０】
以上のように、本実施の形態においては、放熱器の吸い込み空気温度検出手段としての外気温度検出手段７と、蒸発器吸い込み空気温度検出手段としての室内吸い込み空気温度検出手段１５ａ、１５ｂと、室内機運転容量の検出手段とを備え、圧縮機１を起動する際のバイパス流量制御手段１３の開度を、放熱器吸い込み空気温度、蒸発器吸い込み空気温度、及び室内機の運転容量で決定される圧縮機１の起動周波数Ｆ＿ｉｎｉに応じて、過冷却熱交換器１１のバイパス回路側出口が過熱状態となる予め設定した開度とすることにより、負荷に応じて圧縮機１の運転容量が変化しても圧縮機起動時のバイパス流量制御手段１３の開度を適正に設定することができ、より負荷の変化に対応できるかたちで安定した冷房運転を実現することができる。
【産業上の利用可能性】
【００５１】
以上のように、本発明にかかる冷凍サイクル装置及びその制御方法は、バイパス回路からの過度の液バックを防止し、安定した冷房運転を早く実現することが可能となるので、主冷媒回路内を流れる冷媒とバイパス回路内を流れる冷媒とを熱交換するための過冷却回路を設けたヒートポンプ温水暖房機、熱源機等の用途にも適応できる。
【符号の説明】
【００５２】
１  圧縮機
２  室外熱交換器
３ａ、３ｂ  室内膨張弁
４ａ、４ｂ  室内熱交換器
５  吐出圧力検出手段
１１  過冷却熱交換器
１２  過冷却熱交換器の主冷媒回路側出口温度検出手段
１３  バイパス流量制御手段
１４  過冷却熱交換器のバイパス回路側出口温度検出手段
１８  吸入圧力検出手段
２０  制御手段
２１  バイパス回路
【図１】
2011179764.tif 000003
【図２】
2011179764.tif 000004
【図３】
2011179764.tif 000005